(57)【要約】【課題】組立が容易で、強度と耐久性に優れ、収納された食品等の物品を完全に保護することができる通気性木質容器を提供すること。【解決手段】底部２０３と、底部２０３の周縁から上方に折り曲げた複数の側面部２０２，２０４，２０５，２０６と、複数組の組立部とを備え、組立部は、間隔をあけて配置された二つの側面部２０２，２０４の側端からそれぞれ延出して、互いに嵌合される凹部２０７２及び凸部２０７１から成り、組立部が二つの側面部２０２，２０４の間に配置された少なくとも１つの側面部２０５に接着されている。【選択図】図３
0003133835.tif 000002
【実用新案登録請求の範囲】
【請求項１】
底部と、該底部の周縁から上方に折り曲げた複数の側面部と、複数組の組立部とを備え、該組立部は、間隔をあけて配置された二つの側面部の側端からそれぞれ延出して、互いに嵌合される凹部及び凸部から成り、前記組立部が前記二つの側面部の間に配置された少なくとも１つの側面部に接着されていることを特徴とする通気性木質容器。
【請求項２】
少なくとも１つの側面部の上縁に上蓋部が連設されている請求項１に記載の通気性木質容器。
【請求項３】
前記組立部が側面部の外面に接着剤を介して接着されている請求項１又は２に記載の通気性木質容器。
【請求項４】
前記底部が四辺形である請求項１〜３のいずれかに記載の通気性木質容器。
【請求項５】
複数の横方向仕切り板と複数の縦方向仕切り板とを組み立ててなる仕切り部材が前記底部の上面に設置されている請求項１〜３のいずれかに記載の通気性木質容器。
【請求項６】
底部と、側面部と、組立部とを備え、該組立部は、前記側面部の両端にそれぞれ形成されて互いに嵌合する凹部及び凸部から成り、前記側面部は前記底部の周縁を囲み、前記側面部の下縁を内側へ折り曲げて接続部が形成され、該接続部と前記底部とが接着剤を介して接合されていることを特徴とする通気性木質容器。
【請求項７】
前記底部が円形である請求項６に記載の通気性木質容器。
【請求項８】
前記底部が楕円形である請求項６に記載の通気性木質容器。
【請求項９】
前記底部が角取りした三角形である請求項６に記載の通気性木質容器。
【請求項１０】
前記底部が正多角形である請求項６に記載の通気性木質容器。
【考案の詳細な説明】
【技術分野】
【０００１】
本考案は、食品等を収納するのに好適な通気性木質容器に関する。
【背景技術】
【０００２】
ギフトボックスのような包装容器に用いられる材料は、紙、プラスチック、竹等の多種類があり、内容物に応じて使い分けられている。特に、紙類は、軽くて成形が容易であり、印刷に便利であるため、最も多く使用されている。
図１に示すように、従来の箱体１０は、適宜厚さの紙を裁断した後、箱状に組み立ててある。このような箱体１０は、食品を入れる場合、プラスティックフィルムをラミネートして防水性を高めてあることが多い。多くの食品は水分や油分を含んでいるため、防水性が無い紙製の箱体１０に収納すると、湿気で箱体１０が断裂する虞がある。
しかし、箱体１０の表面に積層されるプラスティックフィルムは、食器用基準を満たしているとはいえ、長期間摂取すると人体に蓄積されて健康に悪影響を与える心配が有る。
【０００３】
また、木片を組み立てて成る箱体も従来公知である。木片そのものは天然物であるため、人工添加物の悪影響は比較的少なく、木片は湿気によって変形する心配も無い。
しかし、従来の木製箱体は、多数の木片を接着して箱状に組み立ててあるので、接着個所が外力によって破断し易く、強度と耐久性が不足しているため、ギフトボックス等として大量に使用するのが難しかった。
【考案の開示】
【考案が解決しようとする課題】
【０００４】
本考案が解決しようとする課題は、組立が容易で、強度と耐久性に優れ、収納された食品等の物品を完全に保護することができる通気性木質容器を提供することにある。
【課題を解決するための手段】
【０００５】
本考案の通気性木質容器は、底部と、該底部の周縁から上方に折り曲げた複数の側面部と、複数組の組立部とを備え、該組立部は、間隔をあけて配置された二つの側面部の側端からそれぞれ延出して、互いに嵌合される凹部及び凸部から成り、前記組立部が前記二つの側面部の間に配置された少なくとも１つの側面部に接着されている。
少なくとも１つの側面部の上縁に上蓋部を連設しても良い。
前記組立部を側面部の外面に接着剤を介して接着することがある。
前記底部を四辺形としても良い。
複数の横方向仕切り板と複数の縦方向仕切り板とを組み立ててなる仕切り部材が前記底部の上面に設置することもある。
【０００６】
或いは、本考案の通気性木質容器は、底部と、側面部と、組立部とを備え、該組立部は、前記側面部の両端にそれぞれ形成されて互いに嵌合する凹部及び凸部から成り、前記側面部は前記底部の周縁を囲み、前記側面部の下縁を内側へ折り曲げて接続部が形成され、該接続部と前記底部とが接着剤を介して接合されている。
前記底部は、円形、楕円形、角取りした三角形、或いは正多角形とすることができる。
【考案の効果】
【０００７】
本考案によれば、木質素材を用いているため、湿気や油分によって破損しにくく、しかも、木質素材でありながら、所定箇所を折り曲げ、凹部と凸部とを嵌合して簡単に組み立てることができ、強度と耐久性を高めることができる。
【考案を実施するための最良の形態】
【０００８】
図２〜図４は、本考案の実施例１を示す。
本考案の通気性木質容器２０は、薄い木片をナイフ金型により展開した形状に裁断してから、箱状に組み立てて成る（図４）。
木質容器を展開した形状は、図２に示すように、四辺形（長方形）の底部２０３の４辺に、破線で示す折り線２０９を介して第１側面部２０２、第２側面部２０４、第３側面部２０５及び第４側面部２０６をそれぞれ一体に連設し、互いに対向する第１側面部２０２及び第２側面部２０４の一側端からそれぞれ折り線２０９を介して凹部２０７２と凸部２０７１を延出し、第１側面部２０２及び第２側面部２０４の他側端からそれぞれ折り線２０９を介して凹部２０８２と凸部２０８１を延出し、第１側面部２０２の先端縁（上縁）には折り線２０９を介して上蓋部２０１を一体に連設してある。
【０００９】
上蓋部２０１は底部２０３と同形に形成してある。
凹部２０７２及び凸部２０７１の先端部、並びに、凹部２０８２及び凸部２０８１の先端部は、鳩尾状の陥没部と突出部のような簡単に嵌合できて外れ難い形状となっている。
そして、凹部２０７２と凸部２０７１とは互いに嵌合して第１組立部２０７を構成し、凹部２０８２と凸部２０８１とは互いに嵌合して第２組立部２０８を構成する。
また、凹部２０７２と凸部２０７１の長さ、及び、凹部２０７２と凸部２０７１の長さは、第３側面部２０５及び第４側面部２０６の両側端間の寸法の約半分となっている。
【００１０】
通気性木質容器２０を組み立てるには、図３に示すように、第１側面部２０２、第２側面部２０４、第３側面部２０５及び第４側面部２０６を底部２０３の周縁に沿った折り線２０９からそれぞれ上方へ折り曲げる。
また、第１側面部２０２及び第２側面部２０４の両側端間に配置された第３側面部２０５及び第４側面部２０６の外面に接着剤２０５１を塗布する。
さらに、図４に示すように、第１側面部２０２及び第２側面部２０４の両側端に形成した折り線２０９に沿って、第１組立部２０７の凹部２０７２と凸部２０７１を互いに接近するよう折り曲げて嵌合すると共に、第２組立部２０８の凹部２０８２と凸部２０８１を互いに接近するよう折り曲げて嵌合する。
そして、嵌合した第１組立部２０７及び第２組立部２０８を、それぞれ接着剤２０５１を介して第３側面部２０５及び第４側面部２０６の外面に接着する。
第１組立部２０７及び第２組立部２０８は簡単に嵌合することができ、しかも、第３側面部２０５及び第４側面部２０６に接着することによって、強度と耐久性が向上する。
【００１１】
図５は、本考案の実施例２を示す。
本実施例では、複数の横方向仕切り板３０１と複数の縦方向仕切り板３０２とを組み立てて成る仕切り部材３００を底部３０３の上面に載置することにより、通気性木質容器３０の内部を複数の空間に区画し、複数の点心類などの食品や物品を接触しないように収納できるようになっている。
その他の構成は、実施例１と同様である。
【００１２】
図６は、本考案の実施例３を示す。
本実施例の通気性木質容器４０は、薄い木片を素材とし、底部４０２と、底部４０２の周縁を囲む側面部４０１と、側面部４０１の両端にそれぞれ形成されて互いに嵌合する凹部４０１２及び凸部４０１１から成る組立部とを備える。
底部４０２は円形であり、側面部４０１は、細長い帯片を湾曲させて凹部４０１２と凸部４０１１を嵌合することにより、円環状に形成される。また、側面部４０１の下縁部を予め形成してある折り線に沿って内側に折り曲げ、底部４０２を支持する鍔状の接続部４０１３が形成される。
【００１３】
次いで、接続部４０１３の上面に接着剤を塗布し、側面部４０１の上方から底部４０２をはめ込んで、接続部４０１３と底部４０２の周縁部とを接合する。
なお、凹部４０１２と凸部４０１１の嵌合部分を接着剤で補強しても良い。
また、底部４０２及び側面部４０１の平面形状は、楕円形、角取りした三角形、或いは、正多角形とすることもできる。
【００１４】
図７は、本考案の実施例４を示す。
この通気性木質容器５０は、円環状に湾曲した側面部５０１の直径が、底部５０２側において小さく、上面開口部側で大きくなるよう傾斜している。従って、使用しないときは、複数の通気性木質容器５０を重ねて小型化し、収納時に嵩張らないようにすることができる。
その他の構成は、実施例３と変わるところは無い。
【図面の簡単な説明】
【００１５】
【図１】従来の箱体の斜視図。
【図２】本考案の実施例１に係る通気性木質容器の展開図。
【図３】本考案の実施例１を示す通気性木質容器の組立途中における斜視図。
【図４】本考案の実施例１を示す通気性木質容器の斜視図。
【図５】本考案の実施例２を示す通気性木質容器の斜視図。
【図６】本考案の実施例３を示す通気性木質容器の斜視図。
【図７】本考案の実施例４を示す通気性木質容器の斜視図。
【符号の説明】
【００１６】
２０  通気性木質容器
２０１  上蓋部
２０２  第１側面部
２０３  底部
２０４  第２側面部
２０５  第３側面部
２０５１  接着剤
２０６  第４側面部
２０７  第１組立部
２０７１  凸部
２０７２  凹部
２０８  第２組立部
２０８１  凸部
２０８２  凹部
２０９  折り線
３０  通気性木質容器
３００  仕切り部材
３０１  横方向仕切り板
３０２  縦方向仕切り板
３０３  底部
４０  通気性木質容器
４０１  側面部
４０１１  凸部
４０１２  凹部
４０１３  接続部
４０２  底部
５０  通気性木質容器
５０１  側面部
５０２  底部
【図１】
0003133835.tif 000003
【図２】
0003133835.tif 000004
【図３】
0003133835.tif 000005
【図４】
0003133835.tif 000006
【図５】
0003133835.tif 000007
【図６】
0003133835.tif 000008
【図７】
0003133835.tif 000009